(57)【要約】【課題】複数の投稿サイトに対する投稿情報をまとめて取り扱う場合であっても、投稿情報の内容をより分かり易く提示できる携帯端末装置を提供すること。【解決手段】本発明の実施例に係る携帯端末装置４０は、投稿サイトに対する投稿情報に関連する投稿関連位置を取得する投稿関連位置取得部１０と、投稿サイトに対する投稿情報に関連する投稿関連画像であり、その投稿サイトの種類を表す投稿サイト種類画像を含む投稿関連画像を表示する投稿関連画像表示部１１と、を有し、投稿関連画像表示部１１は、現在位置に対応する表示画面上の位置を中心とした所定表示領域内における、現在位置に対する投稿関連位置の遠さと方向とに応じた位置に投稿関連画像を表示する。【選択図】図１
2014052240.tif 000002
【特許請求の範囲】
【請求項１】
投稿サイトに対する投稿情報に関連する投稿関連位置を取得する投稿関連位置取得部と、
投稿サイトに対する投稿情報に関連する投稿関連画像であり、投稿サイトの種類を表す投稿サイト種類画像を含む投稿関連画像を表示する投稿関連画像表示部と、を有し、
前記投稿関連画像表示部は、現在位置に対応する表示画面上の位置を中心とした所定表示領域内における、現在位置に対する投稿関連位置の遠さと方向とに応じた位置に前記投稿関連画像を表示する、
情報表示装置。
【請求項２】
前記所定表示領域は、地図画像とは別に表示される、
請求項１に記載の情報表示装置。
【請求項３】
前記所定表示領域は、所定探知領域に対応し、
前記所定探知領域は、現在位置から所定距離範囲内の領域、又は、現在位置から所定時間内に到達可能な地点を含む領域として設定される、
請求項１又は２に記載の情報表示装置。
【請求項４】
前記所定探知領域の大きさは、車両の走行速度に応じて変更される、
請求項３に記載の情報表示装置。
【請求項５】
通信を介して車載表示装置に接続される携帯端末装置であり、
投稿サイトに対する投稿情報に関連する投稿関連位置を取得する投稿関連位置取得部と、
投稿サイトに対する投稿情報に関連する投稿関連画像であり、投稿サイトの種類を表す投稿サイト種類画像を含む投稿関連画像を前記車載表示装置に表示する投稿関連画像表示部と、を有し、
前記投稿関連画像表示部は、現在位置に対応する表示画面上の位置を中心とした所定表示領域内における、現在位置に対する投稿関連位置の遠さと方向とに応じた位置に前記投稿関連画像を表示する、
携帯端末装置。
【発明の詳細な説明】
【技術分野】
【０００１】
本発明は、投稿サイトに対する投稿情報に関連する画像を表示する情報表示装置及び携帯端末装置に関する。
【背景技術】
【０００２】
従来、携帯端末装置と車載装置とを連携させ、携帯端末装置を通じて受信する投稿情報を車載ディスプレイに表示する情報表示システムが知られている（特許文献１参照。）。
【０００３】
この情報表示システムは、特定の１つの投稿サイトに対する投稿情報をカテゴリ毎に分類し、カテゴリとアイコン（吹き出し）の色とを対応付ける対応表を参照して投稿情報に対応する吹き出しの色を決定する。その上で、情報表示システムは、投稿情報に含まれる位置情報に対応する地図画像上の位置に、カテゴリ毎に色分けされた吹き出しを表示する。これにより、投稿情報の詳細を表示することなく、投稿情報の内容を運転者に容易に把握させることができるとしている。
【先行技術文献】
【特許文献】
【０００４】
【特許文献１】特開２０１１−２４７８３１号公報
【発明の概要】
【発明が解決しようとする課題】
【０００５】
しかしながら、上述の情報表示システムは、特定の１つの投稿サイトに対する投稿情報の内容を表す様々な色の吹き出しを地図画像上に表示することを開示するのみであり、複数の投稿サイトに対する投稿情報をまとめて取り扱う場合を考慮していない。そのため、上述の情報表示システムは、投稿情報が何れの投稿サイトに対する投稿情報であるかを運転者に把握させることができず、投稿情報の大まかな内容を運転者に十分に分かり易く提示できているとはいえない。
【０００６】
上述の点に鑑み、本発明は、複数の投稿サイトに対する投稿情報をまとめて取り扱う場合であっても、投稿情報の内容をより分かり易く提示できる情報表示装置及び携帯端末装置を提供することを目的とする。
【課題を解決するための手段】
【０００７】
上述の目的を達成するために、本発明の実施例に係る情報表示装置は、投稿サイトに対する投稿情報に関連する投稿関連位置を取得する投稿関連位置取得部と、投稿サイトに対する投稿情報に関連する投稿関連画像であり、投稿サイトの種類を表す投稿サイト種類画像を含む投稿関連画像を表示する投稿関連画像表示部と、を有し、前記投稿関連画像表示部は、現在位置に対応する表示画面上の位置を中心とした所定表示領域内における、現在位置に対する投稿関連位置の遠さと方向とに応じた位置に前記投稿関連画像を表示する。
【０００８】
また、本発明の実施例に係る携帯端末装置は、通信を介して車載表示装置に接続される携帯端末装置であり、投稿サイトに対する投稿情報に関連する投稿関連位置を取得する投稿関連位置取得部と、投稿サイトに対する投稿情報に関連する投稿関連画像であり、投稿サイトの種類を表す投稿サイト種類画像を含む投稿関連画像を前記車載表示装置に表示する投稿関連画像表示部と、を有し、前記投稿関連画像表示部は、現在位置に対応する表示画面上の位置を中心とした所定表示領域内における、現在位置に対する投稿関連位置の遠さと方向とに応じた位置に前記投稿関連画像を表示する。
【発明の効果】
【０００９】
上述の手段により、本発明は、複数の投稿サイトに対する投稿情報をまとめて取り扱う場合であっても、投稿情報の内容をより分かり易く提示できる情報表示装置及び携帯端末装置を提供することができる。
【図面の簡単な説明】
【００１０】
【図１】本発明の実施例に係る情報表示システムの構成例を示すブロック図である。
【図２】図１の携帯端末装置の正面図である。
【図３】携帯端末装置がドックに装着された状態を示す図である。
【図４】車載ディスプレイの表示画像の例を示す図である。
【図５】図４のウィジェット画面の拡大図である。
【図６】投稿関連画像表示処理の流れを示すフローチャートである。
【図７】投稿関連位置案内処理の流れを示すフローチャートである。
【発明を実施するための形態】
【００１１】
以下、図面を参照しつつ、本発明を実施するための形態の説明を行う。
【００１２】
図１は、本発明の実施例に係る情報表示システム１００の構成例を示すブロック図である。情報表示システム１００は、携帯端末装置４０と車載装置５０とを連携させるシステムであり、携帯端末装置４０及び車載装置５０を構成要素として含む。また、図２は、携帯端末装置４０の正面図である。
【００１３】
本実施例では、情報表示システム１００は、投稿サイトに接続可能な携帯端末装置４０が受信した投稿関連画像を車載装置５０に接続される表示装置６Ｖに表示する。
【００１４】
「投稿サイト」とは、投稿機能を提供するサイトであり、例えば、Ｆａｃｅｂｏｏｋ（登録商標）、ｔｗｉｔｔｅｒ（登録商標）等のソーシャル・ネットワーキング・サービス（Social Networking Service）（以下、「ＳＮＳ」とする。）を提供するＳＮＳサイト、食べログ（登録商標）等の口コミサイト、楽天トラベル（登録商標）等の旅行サイト、ブログサイト等を含む。また、投稿サイトは、スマートフォン向けのサービスを提供するスマートフォンサイト、ＰＣ（Personal Computer）向けのサービスを提供するＰＣサイト、携帯電話向けのサービスを提供する携帯サイト、タブレット型コンピュータ向けのサービスを提供するタブレットＰＣサイト等の何れであってもよい。
【００１５】
「投稿情報」とは、投稿サイトの利用者が投稿サイトに対して投稿する情報であり、本実施例では、投稿関連位置、投稿サイト種類情報、投稿関連画像、及び投稿者情報を含む。
【００１６】
「投稿関連位置」とは、投稿情報に関連する位置であり、本実施例では、投稿が行われた位置、投稿内容に関する位置（例えば、コメント対象である施設等の位置）、投稿対象の画像が撮像された位置等を含む。また、投稿関連位置は、例えば、緯度及び経度で表されてもよい。
【００１７】
「投稿サイト種類情報」とは、投稿サイトの種類を表す情報であり、例えば、投稿サイトの種類を表す識別番号又は拡張子等を含む。
【００１８】
「投稿者情報」とは、投稿情報を投稿した投稿者に関する情報であり、例えば、投稿者のハンドルネーム等を含む。
【００１９】
「投稿関連画像」とは、投稿情報に関する画像であり、例えば、投稿者が撮像した画像（以下、「投稿画像」とする。）、コメント対象の画像（以下、「コメント対象画像」とする。）、投稿情報を扱う投稿サイトの種類を表す画像（以下、「投稿サイト種類画像」とする。）、その投稿情報を投稿した投稿者に関する画像（以下、「投稿者画像」とする。）等を含む。コメント対象画像は、例えば、ホテル、料理等の画像を含む。投稿サイト種類画像は、例えば、投稿サイトのロゴ、トレードマークを含む。投稿者画像は、例えば、アバター画像を含む。なお、投稿サイト種類画像、投稿者画像は、携帯端末装置４０に予め記憶されていてもよい。
【００２０】
携帯端末装置４０は、乗員が携帯する端末装置であり、情報表示装置としても機能する。また、携帯端末装置４０は、例えば、携帯電話、スマートフォン、ＰＤＡ（Personal Digital Assistance）、携帯型ゲーム機、タブレット型コンピュータ等を含む。本実施例では、携帯端末装置４０は、スマートフォンであり、主に、制御装置１、情報取得装置２、タッチパネル３、通信装置４、記憶装置５、表示装置６、音声入力装置７、音声出力装置８、及び位置検出装置９を含む。そして、スマートフォンとしての携帯端末装置４０は、例えば、携帯端末装置４０上で動作するアプリケーションソフトウェアとしてのスマートフォンアプリを用い、ＳＮＳを提供するサーバにあるＳＮＳサイトにアクセスして投稿情報を取得する。
【００２１】
制御装置１は、携帯端末装置４０を制御する装置であり、本実施例では、ＣＰＵ（Central Processing Unit）、ＲＡＭ(Random Access Memory)、ＲＯＭ（Read Only Memory）等を備えたコンピュータである。制御装置１は、例えば、後述の投稿関連位置取得部１０及び投稿関連画像表示部１１の各機能要素に対応するプログラムをＲＯＭから読み出してＲＡＭに展開し、各機能要素に対応する処理をＣＰＵに実行させる。なお、各機能要素に対応するプログラムは、通信ネットワークを通じてダウンロードされてもよく、記録媒体に記録された状態で提供されてもよい。
【００２２】
情報取得装置２は、外部から情報を取得する装置であり、本実施例では、携帯電話回線、公衆無線ＬＡＮ等を利用するための無線通信装置である。
【００２３】
タッチパネル３は、携帯端末装置４０が搭載する操作入力装置の１つであり、例えば、表示装置６上に配置される、マルチタッチジェスチャ機能をサポートするマルチタッチ式のタッチパネルである。
【００２４】
通信装置４は、外部機器との間の通信を制御する装置である。本実施例では、通信装置４は、近距離無線通信（以下、「ＮＦＣ（Near Field Communication）」とする。）を介して、車載装置５０の通信装置４Ｖに接続される。なお、通信装置４と通信装置４Ｖとの間の通信には、Bluetooth（登録商標）、Wi-Fi（登録商標）等を利用した無線通信が用いられてもよく、ＵＳＢ（Universal Serial Bus）等を利用した有線通信が用いられてもよい。
【００２５】
本実施例では、通信装置４は、周期的に応答要求信号を発信する。通信装置４Ｖは、その応答要求信号を受信すると応答信号を通信装置４に返信する。そして、通信装置４は、その応答信号を受信すると通信装置４Ｖとの間で無線通信を確立する。なお、通信装置４Ｖが周期的に応答要求信号を発信してもよく、通信装置４及び通信装置４Ｖのそれぞれが周期的に応答要求信号を発信してもよい。この場合、通信装置４は、その応答要求信号を受信すると応答信号を通信装置４Ｖに返信する。そして、通信装置４Ｖは、その応答信号を受信すると通信装置４との間で無線通信を確立する。また、通信装置４は、通信装置４Ｖとの間で無線通信を確立したときに、無線通信が確立したことを知らせる制御信号を制御装置１に対して出力する。
【００２６】
また、通信装置４は、車載装置５０との間で通信を行う場合と同様に、車載装置５０以外の他の外部機器との間で通信を行うようにしてもよい。例えば、通信装置４は、通信装置４Ｖとの間で通信を行いながら、他の携帯端末装置の通信装置との間で無線通信を行うようにしてもよい。
【００２７】
記憶装置５は、各種情報を記憶する装置であり、例えば、フラッシュメモリ等の不揮発性の半導体メモリを含む。本実施例では、記憶装置５は、過去の投稿情報を記憶する。
【００２８】
表示装置６は、各種情報を表示する装置であり、例えば、液晶ディスプレイである。音声入力装置７は、音声を入力する装置であり、例えば、マイクである。音声出力装置８は、各種情報を音声出力する装置であり、例えば、スピーカである。
【００２９】
位置検出装置９は、携帯端末装置４０の現在位置を検出するための装置である。本実施例では、位置検出装置９は、ＧＰＳ(Global Positioning System)アンテナを介してＧＰＳ衛星が出力するＧＰＳ信号を受信するＧＰＳ受信機である。位置検出装置９は、受信したＧＰＳ信号に基づいて携帯端末装置４０の現在位置（緯度、経度、高度）を検出し、検出結果を位置情報として制御装置１に対して出力する。
【００３０】
車載装置５０は、車両に搭載される装置であり、情報表示装置としても機能する。また、車載装置５０は、主に、制御装置１Ｖ、タッチパネル３Ｖ、通信装置４Ｖ、記憶装置５Ｖ、表示装置６Ｖ、音声入力装置７Ｖ、及び音声出力装置８Ｖを含む。なお、制御装置１Ｖ、タッチパネル３Ｖ、通信装置４Ｖ、記憶装置５Ｖ、表示装置６Ｖ、音声入力装置７Ｖ、及び音声出力装置８Ｖは、それぞれ、携帯端末装置４０の制御装置１、タッチパネル３、通信装置４、記憶装置５、表示装置６、音声入力装置７、及び音声出力装置８と同様であるため、その説明を省略する。
【００３１】
ここで、図３を参照しながら、情報表示システム１００が機能する際の車室内の様子について説明する。
【００３２】
図３は、携帯端末装置４０がクレードル（ドック）３０に装着された状態を示す。図３に示すように、携帯端末装置４０は、タッチパネル３及び表示装置６を運転者側に向けた状態でドック３０に保持される。このとき、携帯端末装置４０のタッチパネル３は、車載装置５０の操作入力装置として機能してもよい。
【００３３】
この構成により、運転者は、例えば、ステアリングホイール７０を握る手を延ばしてタッチパネル３に対する操作入力を行うことができる。また、運転者は、運転中に、ナビゲーション情報等を表示する表示装置６Ｖと、速度情報を表示する速度メータ８０と、携帯端末装置４０の通信状態及びバッテリ状態等を表示するマルチインフォメーションディスプレイ９０とを必要に応じて視認できる。
【００３４】
情報表示システム１００は、携帯端末装置４０がドック３０内に装着され、携帯端末装置４０と車載装置５０との間で無線通信が確立されると、記憶装置５に記憶された投稿情報、及び、情報取得装置２を通じてリアルタイムに受信した投稿情報のうちの少なくとも一方から、所定の条件を満たす投稿情報を抽出する。そして、情報表示システム１００は、抽出した投稿情報に関する投稿関連画像を車載装置５０の表示装置６Ｖ上に表示させる。
【００３５】
次に、携帯端末装置４０の制御装置１で動作する機能要素について説明する。
【００３６】
投稿関連位置取得部１０は、投稿関連位置を取得する機能要素である。本実施例では、投稿関連位置取得部１０は、記憶装置５に記憶された投稿情報、及び、情報取得装置２を介して受信した投稿情報のうちの少なくとも一方に含まれる投稿関連位置を取得する。
【００３７】
具体的には、投稿関連位置取得部１０は、投稿画像に付加されている位置情報を投稿関連位置として取得する。この場合、投稿画像には、その撮像のために用いるカメラ等によって撮像時に位置情報が付加されていてもよい。
【００３８】
或いは、投稿関連位置取得部１０は、投稿情報自体に付加されている位置情報を投稿関連位置として取得する。この場合、投稿者が投稿する投稿情報には、その投稿のために用いる携帯電話等の装置に付属する位置検出装置によって投稿時に位置情報が付加されていてもよい。また、予め位置情報が付加されているテーマ（例えば、特定のホテル、特定のレストラン、特定の娯楽施設等）に関するコメントを投稿者が投稿するような場合には、そのテーマを提供する投稿サイトによって位置情報が自動的にそのコメントに付加されていてもよい。
【００３９】
投稿関連画像表示部１１は、投稿関連画像を表示する機能要素である。本実施例では、投稿関連画像表示部１１は、操作者が予め登録しておいた複数の投稿サイトに対する投稿情報に関連する投稿関連画像を表示する。具体的には、投稿関連画像表示部１１は、所定探知領域内の各位置に対応する投稿関連位置を有する投稿情報を抽出する。所定探知領域は、投稿情報の探知を行う対象となる領域であり、例えば、位置検出手段９が検出した携帯端末装置４０の現在位置を中心とする領域である。また、投稿関連画像表示部１１は、投稿時点からの経過時間が所定時間以下であることを追加的な抽出条件としてもよい。
【００４０】
そして、投稿関連画像表示部１１は、現在位置に対する投稿関連位置の遠さと方向とを操作者が認識できるように、抽出した投稿情報に関する投稿関連画像を、車載装置５０の表示装置６Ｖ上に表示する。
【００４１】
「現在位置に対する投稿関連位置の遠さ」とは、操作者がその投稿関連位置に至る容易さの度合いを意味する。例えば、現在位置と投稿関連位置との間の距離が大きいほど、或いは、現在位置から投稿関連位置に到達するまでに要する時間（以下、「到達所要時間」とする。）が長い程、投稿関連位置は、現在位置から遠いとされる。なお、到達所要時間は、道路種別や渋滞等を考慮して決定される時間であってもよい。
【００４２】
したがって、所定探知領域は、現在位置に対する投稿関連位置の遠さが距離に基づいて判断される場合には、距離に基づいて設定される。具体的には、所定探知領域は、現在位置から所定距離範囲内の領域として設定される。
【００４３】
また、所定探知領域は、現在位置に対する投稿関連位置の遠さが到達所要時間に基づいて判断される場合には、到達所要時間に基づいて設定される。具体的には、所定探知領域は、現在位置から所定時間内に到達可能な地点を含む領域として設定される。
【００４４】
また、投稿関連画像表示部１１は、車両の走行速度（例えば、所定期間の平均走行速度である。）に応じて所定探知領域の大きさを変更してもよい。具体的には、投稿関連画像表示部１１は、車両の走行速度が大きい程、所定探知領域が大きくなるようにしてもよい。
【００４５】
また、投稿関連画像表示部１１は、所定探知領域に対応する所定表示領域（以下、「探知領域画像」とする。）を車載装置５０の表示装置６Ｖ上に表示する。その上で、投稿関連画像表示部１１は、その探知領域画像上の、現在位置に対する投稿関連位置の遠さと方向とに応じた位置に投稿関連画像を重畳表示する。本実施例では、探知領域画像は、レーダのＰＰＩ（Plan Position Indicator）スコープのような円形の画像であり、その中心に現在位置を示すアイコンが配置されてもよい。また、表示装置６Ｖ上に表示される探知領域画像の大きさは、所定探知領域の大きさにかかわらず一定である。但し、探知領域画像の大きさは、所定探知領域の大きさに応じて変更されてもよい。
【００４６】
図４は、表示装置６Ｖにおける表示画面の１例を示す。図４に示すように、表示装置６Ｖの表示画像は、地図画像上に重畳表示される、カーソル６０Ｖと、自車位置アイコン６１Ｖと、ウィジェット画面６２Ｖとを含む。ウィジェット画面６２Ｖは、ウィジェットが表示装置６Ｖ上に表示する画面である。
【００４７】
「ウィジェット」とは、携帯端末装置４０上で動作する小規模なアプリケーションソフトウェア（以下、「ＡＰＰ」とする。）である。本実施例では、ウィジェットは、投稿関連画像表示部１１によって実行されるＡＰＰを含む。また、ウィジェット画面６２Ｖに表示される画像は、投稿関連画像表示部１１によって表示される探知領域画像及びその探知領域画像上に重畳表示される投稿関連画像を含む。
【００４８】
図５は、図４のウィジェット画面６２Ｖの拡大図である。図５に示すよう、投稿関連画像表示部１１は、携帯端末装置４０又は車載装置５０におけるコンパス等の方位センサ（図示せず。）の出力に基づいて、北の方角が表示装置６Ｖの上方と一致するように円形の探知領域画像Ｇ１を表示する。なお、投稿関連画像表示部１１は、方位センサの出力に基づいて、車両進行方向が表示装置６Ｖの上方と一致するように探知領域画像を表示してもよい。
【００４９】
また、投稿関連画像表示部１１は、探知領域画像Ｇ１上の、現在位置に対する投稿関連位置の遠さと方向とに応じた位置に投稿関連画像Ｇ２〜Ｇ６を表示する。投稿関連画像Ｇ２は、投稿画像Ｇ２ａ及び投稿サイト種類画像Ｇ２ｂを含み、投稿関連画像Ｇ３は、コメント対象画像Ｇ３ａ及び投稿サイト種類画像Ｇ３ｂを含む。また、投稿関連画像Ｇ４は、投稿者画像Ｇ４ａ及び投稿サイト種類画像Ｇ４ｂを含み、投稿関連画像Ｇ５は、コメント対象画像Ｇ５ａ及び投稿サイト種類画像Ｇ５ｂを含み、投稿関連画像Ｇ６は、投稿画像Ｇ６ａ及び投稿サイト種類画像Ｇ６ｂを含む。アイコンＧ７は、携帯端末装置４０の現在位置を表す。
【００５０】
操作者は、図５に示す探知領域画像Ｇ１を見ることによって、投稿サイト「Ａ」に関する２つの投稿情報と、投稿サイト「Ｂ」に関する１つの投稿情報と、投稿サイト「Ｃ」に関する２つの投稿情報とを認識することができる。また、操作者は、投稿情報のそれぞれに関連する投稿関連位置が現在位置から見てどの方向にあり、どの程度遠いかを容易に認識できる。
【００５１】
また、操作者は、投稿サイト種類画像Ｇ２ｂ〜Ｇ６ｂを見ることによって、何れの投稿サイトに対する投稿情報であるかを容易に認識でき、投稿サイトの性質（例えば、匿名性である。）等に基づいて、その投稿情報の性質（例えば、信憑性である。）を推測することができる。
【００５２】
また、操作者は、投稿画像Ｇ２ａ、Ｇ６ａ、コメント対象画像Ｇ３ａ、Ｇ５ａを見ることによってその投稿情報の内容を推測することができる。また、操作者は、投稿者画像Ｇ４ａを見ることによって投稿者が誰であるかを容易に認識でき、その投稿情報の内容を推測することができる。
【００５３】
また、投稿関連画像表示部１１は、投稿関連位置の現在位置からの遠さに関係なく、投稿関連画像Ｇ２〜Ｇ６を一定の表示サイズで表示するが、投稿関連位置が現在位置から遠いほど、投稿関連画像の表示サイズを小さくしてもよい。
【００５４】
また、投稿関連画像表示部１１は、図４に示すように、携帯端末装置４０又は車載装置５０で実行される経路案内ＡＰＰが表示する地図画像とは別に、探知領域画像Ｇ１を含むウィジェット画面６２Ｖを表示する。具体的には、投稿関連画像表示部１１は、地図画像とは別のウィンドウとしてウィジェット画面６２Ｖをポップアップさせる。また、投稿関連画像表示部１１は、地図画像上の現在位置を表す自車位置アイコン６１Ｖがウィジェット画面６２Ｖで覆われないようにする。これにより、投稿関連画像表示部１１は、地図画像の縮尺と探知領域画像Ｇ１の縮尺とを別々に制御することができる。なお、投稿関連画像表示部１１は、探知領域画像Ｇ１と地図画像とを融合してもよい。具体的には、投稿関連画像表示部１１は、地図画像上の、投稿関連位置に対応する位置に投稿関連画像を表示してもよい。また、投稿関連画像表示部１１は、地図画像と探知領域画像とを別々の車載ディスプレイに表示してもよい。また、投稿関連画像表示部１１は、地図画像を表示することなく、探知領域画像を表示してもよい。
【００５５】
次に、図６を参照しながら、携帯端末装置４０が投稿関連画像を投稿関連位置に表示する処理（以下、「投稿関連画像表示処理」とする。）について説明する。なお、図６は、投稿関連画像表示処理の流れを示すフローチャートであり、携帯端末装置４０は、所定周期で繰り返しこの投稿関連画像表示処理を実行する。
【００５６】
最初に、携帯端末装置４０の制御装置１は、位置検出装置９の出力に基づいて現在位置を取得する（ステップＳ１）。
【００５７】
その後、制御装置１は、現在位置から所定距離範囲内の領域を所定探知領域として決定する（ステップＳ２）。なお、制御装置１は、現在位置から所定時間内に到達可能な地点を含む領域を所定探知領域として決定してもよい。
【００５８】
その後、制御装置１における投稿関連画像表示部１１は、所定探知領域内の位置に対応する投稿関連位置を有する投稿情報を抽出する（ステップＳ３）。なお、各投稿情報の投稿関連位置は、制御装置１の投稿関連位置取得部１０によって取得される。
【００５９】
その後、投稿関連画像表示部１１は、抽出した投稿情報の投稿関連画像を探知領域画像上に表示する（ステップＳ４）。具体的には、投稿関連画像表示部１１は、現在位置と投稿関連位置とに基づいて、探知領域画像上の、現在位置に対する投稿関連位置の遠さと方向とに応じた位置に投稿関連画像を表示する。
【００６０】
その後、制御装置１は、抽出した投稿情報に関する投稿関連画像を全て表示したか否かを判定する（ステップＳ５）。
【００６１】
抽出した投稿情報に関する投稿関連画像の全てを未だ表示していないと判定した場合（ステップＳ５のＮＯ）、制御装置１は、ステップＳ４以降の処理を繰り返す。
【００６２】
一方、抽出した投稿情報に関する投稿関連画像の全てを表示したと判定した場合（ステップＳ５のＹＥＳ）、制御装置１は、今回の投稿関連画像表示処理を終了させる。
【００６３】
次に、図７を参照しながら、携帯端末装置４０が投稿関連位置に基づいて経路案内を開始させる処理（以下、「投稿関連位置案内処理」とする。）について説明する。なお、図７は、投稿関連位置案内処理の流れを示すフローチャートであり、携帯端末装置４０は、所定周期で繰り返しこの投稿関連位置案内処理を実行する。
【００６４】
最初に、携帯端末装置４０の制御装置１は、探知領域画像上の投稿関連画像の１つが選択されたか否かを判定する（ステップＳ１１）。例えば、制御装置１は、タッチパネル３に対する操作者のドラッグ操作によってカーソル６０Ｖ（図４参照。）が探知領域画像上の１つの投稿関連画像上に合わせられた場合に、その投稿関連画像が選択されたと判定する。
【００６５】
探知領域画像上の投稿関連画像が選択されていないと判定した場合（ステップＳ１１のＮＯ）、制御装置１は、今回の投稿関連位置案内処理を終了させる。
【００６６】
一方、探知領域画像上の投稿関連画像の１つが選択されたと判定した場合（ステップＳ１１のＹＥＳ）、制御装置１は、その投稿関連画像を有する投稿情報の投稿関連位置を地図画像上に表示する（ステップＳ１２）。例えば、制御装置１は、その投稿関連画像を有する投稿情報の投稿関連位置に対応する地図画像上の点を点滅させる。このとき、制御装置１は、その投稿関連位置に対応する地図画像上の点を適切な大きさで表示するために、地図画像を拡大或いは縮小してもよい。具体的には、制御装置１は、車載装置５０の制御装置１Ｖ上で動作する経路案内ＡＰＰに対してその投稿関連位置を通知し、地図画像上の対応する点を点滅させる。
【００６７】
その後、制御装置１は、その投稿関連位置が目的地として設定されたか否かを判定する（ステップＳ１３）。例えば、制御装置１は、タッチパネル３に対する操作者のダブルタップ操作によってカーソル６０Ｖ（図４参照。）が指し示す探知領域画像上の１つの投稿関連画像の選択が確定された場合に、その投稿関連画像を有する投稿情報の投稿関連位置が目的地として設定されたと判定する。
【００６８】
その投稿関連位置が目的地として設定されていないと判定した場合（ステップＳ１３のＮＯ）、制御装置１は、今回の投稿関連位置案内処理を終了させる。
【００６９】
一方、その投稿関連位置が目的地として設定されたと判定した場合（ステップＳ１３のＹＥＳ）、制御装置１は、その投稿関連位置に至る経路案内を開始させる（ステップＳ１４）。具体的には、制御装置１は、車載装置５０の制御装置１Ｖ上で動作する経路案内ＡＰＰに対してその投稿関連位置を目的地として通知し、その投稿関連位置に至る経路を探索させ、その経路に沿った経路案内を開始させる。
【００７０】
上述のように、携帯端末装置４０は、現在位置に対する投稿関連位置の遠さと方向とを操作者が認識できるように、投稿サイト種類画像を含む投稿関連画像を探知領域画像上に表示する。そのため、携帯端末装置４０は、複数の投稿サイトに対する投稿情報をまとめて取り扱う場合であっても、投稿情報の内容をより分かり易く操作者に提示できる。
【００７１】
また、携帯端末装置４０は、投稿画像、コメント対象画像、投稿者画像等を含む投稿関連画像を探知領域画像上に表示する。そのため、携帯端末装置４０は、文字やアイコン等を表示する場合に比べ、投稿情報の内容をより分かり易く操作者に提示できる。
【００７２】
また、携帯端末装置４０は、地図画像と探知領域画像とを別々に表示させる。そのため携帯端末装置４０は、地図画像の表示を過度に複雑化することなく、投稿情報の内容をより分かり易く操作者に提示できる。
【００７３】
また、携帯端末装置４０は、現在位置から所定距離範囲内の領域、又は、現在位置から所定時間内に到達可能な地点を含む領域として所定探知領域を設定する。そして、携帯端末装置４０は、現在位置から比較的近い投稿関連位置を含む投稿情報を抽出し、その投稿情報に関連する投稿関連画像を表示する。そのため、携帯端末装置４０は、表示される投稿関連画像の数が過度に多くなるのを防止し、投稿情報の内容をより分かり易く操作者に提示できる。
【００７４】
また、携帯端末装置４０は、所定探知領域の大きさを車両の走行速度に応じて変更する。そして、携帯端末装置４０は、走行速度を考慮した上で、現在位置から比較的近い投稿関連位置を含む投稿情報を抽出し、その投稿情報に関連する投稿関連画像を表示する。そのため、携帯端末装置４０は、投稿関連画像を表示するタイミングの適正化を図り、投稿情報の内容をより分かり易く操作者に提示できる。
【００７５】
以上、本発明の好ましい実施例について詳説したが、本発明は、上述した実施例に制限されることはなく、本発明の範囲を逸脱することなく、上述した実施例に種々の変形及び置換を加えることができる。
【００７６】
例えば、上述の実施例では、投稿関連位置取得部１０及び投稿関連画像表示部１１は、携帯端末装置４０の制御装置１で実行されるが、それらの一部又は全部は、車載装置５０の制御装置１Ｖで実行されてもよい。
【００７７】
また、上述の実施例では、現在位置は、携帯端末装置４０の位置検出装置９の出力に基づくものであるが、車載装置５０に接続される車載の位置検出装置の出力に基づくものであってもよい。
【００７８】
また、上述の実施例では、投稿情報は、携帯端末装置４０の情報取得装置２を介して取得される投稿情報を含むが、車載装置５０に接続される車載の情報取得装置を介して取得される投稿情報を含んでもよい。
【００７９】
また、上述の実施例では、携帯端末装置４０は、ドック３０に装着された場合に、携帯端末装置４０と車載装置５０との間で無線通信を確立するが、運転席の周囲の所定領域に進入した場合に携帯端末装置４０と車載装置５０との間で無線通信を確立してもよい。
【符号の説明】
【００８０】
１・・・制御装置  ２・・・情報取得装置  ３、３Ｖ・・・タッチパネル  ４、４Ｖ・・・通信装置  ５、５Ｖ・・・記憶装置  ６、６Ｖ・・・表示装置  ７、７Ｖ・・・音声入力装置  ８、８Ｖ・・・音声出力装置  ９・・・位置検出装置  １０・・・投稿関連位置取得部  １１・・・投稿関連画像表示部  ３０・・・ドック  ４０・・・携帯端末装置  ５０・・・車載装置  ７０・・・ステアリング  ８０・・・速度メータ  ９０・・・マルチインフォメーションディスプレイ  １００・・・情報表示システム
【図１】
2014052240.tif 000003
【図２】
2014052240.tif 000004
【図３】
2014052240.tif 000005
【図４】
2014052240.tif 000006
【図５】
2014052240.tif 000007
【図６】
2014052240.tif 000008
【図７】
2014052240.tif 000009